Podtech/llm-jp-corpus-v4-ja_patent huggingface dataset:
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
眼組織を破砕する筒状のチップと、灌流液を眼内に流出させる流出孔と、前記チップの先端に形成され破砕した前記眼組織と前記眼内に流出させた前記灌流液とを吸引する吸引孔と、を有する手術器具において、
前記流出孔は、前記チップの周方向に沿って細長形状に形成され、かつ、複数形成されていること、
を特徴とする手術器具。
【請求項２】
請求項１の手術器具において、
前記チップの先端を突出させた状態で前記チップを被覆する筒状のスリーブを有し、
前記流出孔は、前記スリーブに形成されていること、
を特徴とする手術器具。
【請求項３】
請求項２の手術器具において、
前記スリーブは、当該スリーブの先端側の部分に外径が徐々に大きくなるテーパ部を備え、
前記流出孔は、前記テーパ部に形成されていること、
を特徴とする手術器具。
【請求項４】
請求項１乃至３のいずれか１つの手術器具において、
２つの前記流出孔が前記チップの中心軸を中心にして対称に形成されていること、
を特徴とする手術器具。
【請求項５】
請求項１乃至４のいずれか１つの手術器具において、
前記流出孔は、前記チップの後端側に凸の円弧状に形成されていること、
を特徴とする手術器具。
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
構造体に形成した穴部に金属製のクリップと一緒に挿入し固定して前記構造体の表面を
覆う樹脂カバーであって、
前記樹脂カバーには前記金属製のクリップを装着するクリップ押し込み部が形成され、
前記クリップ押し込み部にはたわみ押えリブが形成されており、
前記たわみ押えリブは、前記クリップ押し込み部に前記金属製のクリップを装着して前
記金属製のクリップを前記構造体に形成した穴部に挿入した状態から前記金属製のクリッ
プを前記構造体に形成した穴部から引き戻すときに、前記金属製のクリップに形成された
爪部の変形量を規制して前記金属製のクリップを前記構造体に形成した穴部から引き戻す
ことを阻止することを特徴とする樹脂カバー。
【請求項２】
請求項１記載の樹脂カバーであって、前記たわみ押えリブの厚さは、前記クリップ押し
込み部に前記金属製のクリップを装着して前記金属製のクリップを前記構造体に形成した
穴部に挿入した状態で、前記たわみ押えリブと前記金属製のクリップに形成された爪部の
先端部分の隙間が前記爪部が前記穴部を通過するのに必要な変形量よりも小さくなるよう
に形成されていることを特徴とする樹脂カバー。
【請求項３】
構造体に形成した穴部に金属製のクリップと一緒に挿入し固定して前記構造体の表面を
覆う樹脂カバーであって、
前記樹脂カバーには前記金属製のクリップを装着するクリップ押し込み部が形成され、
前記クリップ押し込み部にはたわみ押えリブが形成されており、
前記クリップ押し込み部に前記金属製のクリップを装着して前記金属製のクリップを前
記構造体に形成した穴部に挿入した状態において、前記金属製のクリップの先端部分と前
記たわみ押えリブとの間隔が前記金属製のクリップの爪部の一番広がっている部分が前記構造体に形成した穴部よりも突き出している寸法よりも小さくなるように前記たわみ押えリブの寸法が設定されていることを特徴とする樹脂カバー。
【請求項４】
請求項３記載の樹脂カバーであって、前記金属製のクリップの前記爪部はくの字状に形成されており、前記くの字の先端部分と前記たわみ押えリブとの間隔が前記くの字の折れ曲がった部分が前記構造体に形成した穴部よりも突き出している寸法よりも小さくなるように前記たわみ押えリブの寸法が設定されていることを特徴とする樹脂カバー。
【請求項５】
請求項１又は３に記載の樹脂カバーであって、前記クリップ押し込み部には、前記構造
体に形成した穴部の幅寸法よりもわずかに小さい幅の型押えリブが複数の箇所に形成され
ていることを特徴とする樹脂カバー。
【請求項６】
請求項１又は３に記載の樹脂カバーであって、前記たわみ押えリブで前記金属製のクリ
ップに形成された前記爪部の変形量を規制することにより、前記構造体に形成した穴部の寸法よりも小さい穴に適合する金属製のクリップで前記構造体に前記樹脂カバーを固定することを特徴とする樹脂カバー。
【請求項７】
シートクッションとシートバックとヘッドレストを備えた車両用シートであって、
前記シートクッションの下部には内部に機構部品が収納されたサイドフレームと前記サ
イドフレームに形成した穴部に金属製のクリップと一緒に挿入し前記サイドフレームの表
面を覆う樹脂カバーとを備え、
前記樹脂カバーには前記金属製のクリップを装着するクリップ押し込み部が形成され、
前記クリップ押し込み部にはたわみ押えリブが形成されており、
前記たわみ押えリブは、前記クリップ押し込み部に前記金属製のクリップを装着して前
記金属製のクリップを前記サイドフレームに形成した穴部に挿入した状態から前記金属製
のクリップを前記サイドフレームに形成した穴部から引き戻すときに、前記金属製のクリ
ップに形成された爪部の変形量を規制して前記金属製のクリップを前記サイドフレームに
形成した穴部から引き戻すことを阻止することを特徴とする樹脂カバーを備えた車両用シ
ート。
【請求項８】
請求項７記載の樹脂カバーを備えた車両用シートであって、前記たわみ押えリブの厚さ
は、前記クリップ押し込み部に前記金属製のクリップを装着して前記金属製のクリップを
前記サイドフレームに形成した前記穴部に挿入した状態で、前記たわみ押えリブと前記金属製のクリップに形成された爪部の先端部分の隙間が前記爪部が前記穴部を通過するのに必要な変形量よりも小さくなるように形成されていることを特徴とする樹脂カバーを備えた車両用シート。
【請求項９】
シートクッションとシートバックとヘッドレストを備えた車両用シートであって、
前記シートクッションの下部には内部に機構部品が収納されたサイドフレームと前記サ
イドフレームに形成した穴部に金属製のクリップと一緒に挿入し前記サイドフレームの表
面を覆う樹脂カバーとを備え、
前記樹脂カバーには前記金属製のクリップを装着するクリップ押し込み部が形成され、
前記クリップ押し込み部にはたわみ押えリブが形成されており、
前記クリップ押し込み部に前記金属製のクリップを装着して前記金属製のクリップを前
記サイドフレームに形成した穴部に挿入した状態において、前記金属製のクリップの先端
部分と前記たわみ押えリブとの間隔が前記金属製のクリップの爪部の一番広がっている部分が前記サイドフレームに形成した前記穴部よりも突き出している寸法よりも小さくなるように前記たわみ押えリブの寸法が設定されていることを特徴とする樹脂カバーを備えた車両用シート。
【請求項１０】
請求項９記載の樹脂カバーを備えた車両用シートであって、前記金属製のクリップの前記爪部はくの字状に形成されており、前記くの字の先端部分と前記たわみ押えリブとの間隔が前記くの字の折れ曲がった部分が前記サイドフレームに形成した前記穴部よりも突き出している寸法よりも小さくなるように前記たわみ押えリブの寸法が設定されていることを特徴とする樹脂カバーを備えた車両用シート。
【請求項１１】
請求項７又は９に記載の樹脂カバーを備えた車両用シートであって、前記クリップ押し
込み部には、前記サイドフレームに形成した前記穴部の幅寸法よりもわずかに小さい幅の型押えリブが複数の箇所に形成されていることを特徴とする樹脂カバーを備えた車両用シート。
【請求項１２】
請求項７又は９に記載の樹脂カバーを備えた車両用シートであって、前記たわみ押えリ
ブで前記金属製のクリップに形成された前記爪部の変形量を規制することにより、前記サイドフレームに形成した前記穴部の寸法よりも小さい穴に適合する金属製のクリップで前記サイドフレームに前記樹脂カバーを固定することを特徴とする樹脂カバーを備えた車両用シート。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
車両前後方向に沿って配置されるルーフサイドインナーパネルと、
該ルーフサイドインナーパネルに対して車両幅方向の外側にて車両前後方向に沿って配置されるルーフサイドアウターパネルと
を備え、
前記ルーフサイドインナーパネル及び前記ルーフサイドアウターパネルがそれらの間に閉断面を形成した状態で対向しており、
前記閉断面の車両上下方向の下側領域に、前記ルーフサイドインナーパネル及び前記ルーフサイドアウターパネルによってＶ字形状に形成される角部が設けられている、車両のルーフサイドメンバにおいて、
前記角部の内側空間内に配置されるブレース部材をさらに備え、
該ブレース部材が、前記ルーフサイドインナーパネル及び前記ルーフサイドアウターパネルに接合されている、車両のルーフサイドメンバ。
【請求項２】
前記ルーフサイドインナーパネルが、前記角部から前記閉断面の車両上下方向の上側領域まで延びるルーフサイドインナー本体部を有し、
前記ルーフサイドアウターパネルが、前記角部から前記閉断面の車両上下方向の中間領域まで延びるルーフサイドアウター本体下部を有し、
前記ブレース部材が、多角形の環形状に形成された帯状材料を用いて構成されており、
前記ブレース部材が、前記ルーフサイドインナー本体部に沿って延びる第１のブレース縁部と、前記ルーフサイドアウター本体下部に沿って延びる第２のブレース縁部とを少なくとも有しており、
前記第１及び第２のブレース縁部が、それぞれ、前記ルーフサイドインナー本体部及び前記ルーフサイドアウター本体下部に接合されている、請求項１に記載の車両のルーフサイドメンバ。
【請求項３】
前記閉断面の延びる方向に沿って見た場合に、前記第１のブレース縁部の長さが前記ルーフサイドインナー本体部の長さに対して１／２以上かつ２／３以下となっており、かつ前記第２のブレース縁部の長さが、前記ルーフサイドアウター本体下部の長さに対して１／２以上かつ２／３以下となっている、請求項２に記載の車両のルーフサイドメンバ。
【請求項４】
車体の車両幅方向の側面にて車両上下方向に沿ってピラーが配置され、
前記ピラーの車両上下方向の上端部に、前記ルーフサイドメンバに取り付けられるピラー取付部が設けられ、
２つの前記ブレース部材が、それぞれ、前記ピラー取付部における車両前後方向の両端区域に対応して配置されている、請求項１〜３のいずれか一項に記載の車両のルーフサイドメンバ。
【手続補正２】
【補正対象書類名】明細書
【補正対象項目名】０００７
【補正方法】変更
【補正の内容】
【０００７】
課題を解決するために、本発明の一態様に係る車両のルーフサイドメンバによれば、車両前後方向に沿って配置されるルーフサイドインナーパネルと、該ルーフサイドインナーパネルに対して車両幅方向の外側にて車両前後方向に沿って配置されるルーフサイドアウターパネルとを備え、前記ルーフサイドインナーパネル及び前記ルーフサイドアウターパネルがそれらの間に閉断面を形成した状態で対向しており、前記閉断面の車両上下方向の下側領域に、前記ルーフサイドインナーパネル及び前記ルーフサイドアウターパネルによってＶ字形状に形成される角部が設けられている、車両のルーフサイドメンバにおいて、前記角部の内側空間内に配置されるブレース部材をさらに備え、該ブレース部材が、前記ルーフサイドインナーパネル及び前記ルーフサイドアウターパネルに接合されている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の一態様に係る車両のルーフサイドメンバによれば、車両重量の増加を抑制でき、かつ車体のねじり剛性を向上させることができる。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
複数の回転翼を備える小型無人飛行機と、
投下物を収容および投下可能な搬送容器と、
前記搬送容器を操作するアクチュエータと、を備える鉛直投下装置であって、
前記搬送容器は前記小型無人飛行機の下部に相対移動不能に固定されており、
前記搬送容器の底部はその幅方向に並べて配置された二枚の底板部により構成され、
前記各底板部において、それぞれ他方となる前記底板部側の端部を先端、その反対側の端部を後端としたときに、
前記各底板部の上面は、前記後端から前記先端に向かって同じ傾斜角度で下方へ傾斜しており、
前記二枚の底板部は、同時に、かつ対称的な軌跡で展開可能であり、
前記搬送容器は、前記底部の閉時において筒形状の外形を有する本体部と、該本体部の両端の開口を塞ぐ二枚の蓋体と、を有し、
前記二枚の蓋体のうち少なくともいずれか一方は、軸体である固定軸に、該固定軸を中心としてその周方向に回転可能に支持された回転蓋であることを特徴とする鉛直投下装置。
【請求項２】
前記本体部は、いずれかの前記開口から見て左右に分割された二つの半筒体を有し、
前記二つの半筒体の下側の半体は前記底部を構成し、
前記各半筒体の上端部は、該上端部と平行に配置された共通の軸体である前記固定軸に、該固定軸の周方向に沿って回動可能に支持されており、
前記二つの半筒体は、同時に、かつ対称的な軌跡で展開可能であることを特徴とする請求項１に記載の鉛直投下装置。
【請求項３】
前記本体部は前記底部の閉時において角筒形状の外形を有し、
前記各半筒体は、いずれかの前記開口から見た断面がＬ字形に形成されており、
前記二つの底板部の先端には、その長手方向に沿って互い違いに設けられた凸状の歯部が形成されており、
前記底部の閉時には前記二つの底板部の歯部が噛合されることを特徴とする請求項２に記載の鉛直投下装置。
【請求項４】
複数の回転翼を備える小型無人飛行機と、
投下物を収容および投下可能な搬送容器と、
前記搬送容器を操作するアクチュエータと、を備える鉛直投下装置であって、
前記搬送容器は前記小型無人飛行機の下部に相対移動不能に固定されており、
前記搬送容器の底部はその幅方向に並べて配置された二枚の底板部により構成され、
前記各底板部において、それぞれ他方となる前記底板部側の端部を先端、その反対側の端部を後端としたときに、
前記各底板部の上面は、前記後端から前記先端に向かって同じ傾斜角度で下方へ傾斜しており、
前記搬送容器は、前記底部の閉時において筒形状の外形を有する本体部と、該本体部の両端の開口を塞ぐ二枚の蓋体と、を有し、
前記本体部は、いずれかの前記開口から見て左右に分割された二つの半筒体を有し、
前記二つの半筒体の下側の半体は前記底部を構成し、
前記各半筒体の上端部は、該上端部と平行に配置された共通の軸体である固定軸に、該固定軸の周方向に沿って回動可能に支持されており、
前記二つの半筒体は、同時に、かつ対称的な軌跡で展開可能であり、
前記搬送容器はさらに、前記二つの半筒体の開閉動作を同期させる同期機構を有し、
前記同期機構は、長穴が形成されたリンク片である固定リンク片および二つの可動リンク片と、これらすべてのリンク片の長穴に挿通された共通の軸体である可動軸とを有し、
前記固定リンク片は前記固定軸に、前記二つの可動リンク片は前記各半筒体の外周面における上端近傍部にそれぞれ固定されており、
前記固定リンク片はその長穴が上下方向に延びる角度で配置されており、
前記各可動リンク片は、それらの長穴のうち前記可動軸が挿通された部分のみが前記固定リンク片の長穴と重なるように、該固定リンク片に対して対称的な角度で配置されていることを特徴とする鉛直投下装置。
【請求項５】
前記固定リンク片は前記固定軸の軸方向に沿って所定の間隔を空けて二つ配置されており、
前記各可動リンク片は、前記軸方向において前記二つの固定リンク片の間に配置されていることを特徴とする請求項４に記載の鉛直投下装置。
【請求項６】
前記アクチュエータは、前記二つの半筒体のうちいずれか一方にのみ連結されていることを特徴とする請求項４に記載の鉛直投下装置。
【請求項７】
前記回転蓋は、弾性部材により前記本体部側へ常時付勢されており、
前記回転蓋は、前記開口を塞ぐ位置ではその回転が規制され、
前記回転蓋は、前記弾性部材の付勢力に抗して前記搬送容器から引き離されることにより回転可能となることを特徴とする請求項１に記載の鉛直投下装置。
【請求項８】
前記底部には、前記底部の閉時において鉛直下方を向くカメラが配置されていることを特徴とする請求項１に記載の鉛直投下装置。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ゲームを実行可能な遊技制御手段と、
前記遊技制御手段からの指令によって演出を制御する演出制御手段と、を備え、
前記ゲームの結果が所定の結果となった場合に遊技者に有利な特別遊技を発生可能な遊技機において、
入賞により得られた遊技媒体数に関連する情報を、当該遊技機の前面側から視認可能な表示手段および当該遊技機の裏面側から視認可能な表示手段に表示可能であり、
前記前面側から視認可能な表示手段と、前記裏面側から視認可能な表示手段と、では表示する前記情報の内容が異なることを特徴とする遊技機。
【手続補正２】
【補正対象書類名】明細書
【補正対象項目名】０００４
【補正方法】変更
【補正の内容】
【０００４】
しかしながら、従来の遊技機では、遊技媒体数に関連する表示によって遊技機の状態を判断できるものではなかった。
【手続補正３】
【補正対象書類名】明細書
【補正対象項目名】０００５
【補正方法】変更
【補正の内容】
【０００５】
本発明は、遊技媒体数に関連する表示によって遊技機の状態を判断可能とすることを目的とする。
【手続補正４】
【補正対象書類名】明細書
【補正対象項目名】０００６
【補正方法】変更
【補正の内容】
【０００６】
本発明の代表的な一形態では、ゲームを実行可能な遊技制御手段と、前記遊技制御手段からの指令によって演出を制御する演出制御手段と、を備え、前記ゲームの結果が所定の結果となった場合に遊技者に有利な特別遊技を発生可能な遊技機において、入賞により得られた遊技媒体数に関連する情報を、当該遊技機の前面側から視認可能な表示手段および当該遊技機の裏面側から視認可能な表示手段に表示可能であり、前記前面側から視認可能な表示手段と、前記裏面側から視認可能な表示手段と、では表示する前記情報の内容が異なる。
【手続補正５】
【補正対象書類名】明細書
【補正対象項目名】０００７
【補正方法】変更
【補正の内容】
【０００７】
本発明の代表的な一形態によれば、遊技媒体数に関連する表示によって遊技機の状態を判断可能となる。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ゲームを実行可能な遊技制御手段を備え、
前記ゲームの結果が所定の結果となった場合に遊技者に有利な特別遊技を発生可能な遊技機において、
前記遊技制御手段は、入賞により得られた遊技媒体数に関連する情報を報知可能であることを特徴とする遊技機。
【請求項２】
前記遊技制御手段は、入賞により得られた遊技媒体数に関連する情報が所定条件を満たした場合に、該所定条件を満たしたことを報知可能であることを特徴とする請求項１に記載の遊技機。
【請求項３】
前記遊技制御手段からの指令によって演出を制御する演出制御手段を備え、
前記遊技制御手段は、遊技媒体数に関する情報を前記演出制御手段に送信し、
前記演出制御手段は、前記入賞により得られた遊技媒体数に関連する情報を表示手段に表示可能であることを特徴とする請求項１又は２に記載の遊技機。
【手続補正２】
【補正対象書類名】明細書
【補正対象項目名】０００４
【補正方法】変更
【補正の内容】
【０００４】
しかしながら、従来の遊技機では、遊技媒体数に関連する報知（表示）によって遊技機の状態を判断できるものではなかった。
【手続補正３】
【補正対象書類名】明細書
【補正対象項目名】０００５
【補正方法】変更
【補正の内容】
【０００５】
本発明は、遊技媒体数に関連する報知（表示）によって遊技機の状態を判断可能とすることを目的とする。
【手続補正４】
【補正対象書類名】明細書
【補正対象項目名】０００６
【補正方法】変更
【補正の内容】
【０００６】
本発明の代表的な一形態では、ゲームを実行可能な遊技制御手段を備え、前記ゲームの結果が所定の結果となった場合に遊技者に有利な特別遊技を発生可能な遊技機において、前記遊技制御手段は、入賞により得られた遊技媒体数に関連する情報を報知可能である。
【手続補正５】
【補正対象書類名】明細書
【補正対象項目名】０００７
【補正方法】変更
【補正の内容】
【０００７】
本発明の代表的な一形態によれば、遊技媒体数に関連する報知（表示）によって遊技機の状態を判断可能となる。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
伸縮性フィルムと、
前記伸縮性フィルムの両面に積層された不織布と、
前記不織布及び前記伸縮性フィルムを圧着して窪んだ圧着部と、を備え、
前記圧着部は、
前記伸縮性フィルムのＭＤ方向に対して斜めに交差する方向に並んで第１列を形成する複数の第１エンボスと、前記第１列に沿った第２列を形成する複数の第２エンボスと、を備え、
前記第１エンボスは前記ＭＤ方向に直交する方向に長い長尺形状であり、
前記第１列と前記第２列とは交互に配置されており、
同列上で隣接する前記第１エンボス同士の間隔の少なくとも一部は、同列上で隣接する前記第２エンボス同士の間隔よりも小さい、伸縮材。
【請求項２】
同列上の前記複数の第１エンボスは、均等間隔で配置されている、請求項１記載の伸縮材。
【請求項３】
同列上の前記複数の第１エンボスの間隔は不均一であり、間隔密の密領域と、間隔粗の粗領域とが形成されている、請求項１記載の伸縮材。
【請求項４】
前記密領域は、前記第１エンボスの数が異なる複数種類が存在する、請求項３記載の伸縮材。
【請求項５】
前記第２エンボスは、前記ＭＤ方向に対して斜めに交差する方向に長い長尺形状である、請求項１〜４のいずれか一項記載の伸縮材。
【請求項６】
伸縮性フィルムと、前記伸縮性フィルムの両面に積層された不織布と、前記不織布及び前記伸縮性フィルムを圧着して窪んだ圧着部と、を備え、延伸処理が施された伸縮材であり、
前記圧着部は、前記伸縮性フィルムのＭＤ方向に対して斜めに交差する方向に並んで第１列を形成する複数の第１エンボスと、第１列に沿った第２列を形成する複数の第２エンボスとを備え、
前記第１エンボスは前記ＭＤ方向に直交する方向に長い長尺形状であり、
前記第１列と前記第２列とは交互に配置されており、
同列上で隣接する前記第１エンボス同士の間隔の少なくとも一部は、同列上で隣接する前記第２エンボス同士の間隔よりも小さい、伸縮材。
【請求項７】
伸縮性フィルムと、
前記伸縮性フィルムの両面に積層された不織布と、
前記不織布及び前記伸縮性フィルムを圧着して窪んだ圧着部と、を備え、
前記圧着部は、前記伸縮性フィルムのＭＤ方向に対して斜めに交差する方向に並んで第１列を形成する複数の第１エンボスと、第１列に沿った第２列を形成する複数の第２エンボスとを備え、
前記第１エンボスは前記ＭＤ方向に直交する方向に長い長尺形状であり、
前記第１列と前記第２列とは交互に配置されており、
同列上で隣接する前記第１エンボス同士の間隔の少なくとも一部は、同列上で隣接する前記第２エンボス同士の間隔よりも小さく、
同列上で隣接する前記第１エンボス同士の間の少なくとも一部には、前記伸縮性フィルムに開裂が形成されている、伸縮材。
【請求項８】
同列上の前記複数の第１エンボスの間隔は不均一であり、間隔密の密領域と、間隔粗の粗領域とが形成されている、請求項７記載の伸縮材。
【請求項９】
前記第２エンボスは、前記ＭＤ方向に対して斜めに交差する方向に長い長尺形状である、請求項７または８記載の伸縮材。
【請求項１０】
パンツ型の衛生用品であって、
腹部、及び背部の両側部同士が接続された本体部と、前記本体部に設けられたウェスト開口部と、前記本体部に設けられた一対のレッグ開口部と、を備え、
前記本体部には伸縮部が設けられ、
前記伸縮部は、
伸縮性フィルムと、
前記伸縮性フィルムの両面に積層された不織布と、
前記不織布及び前記伸縮性フィルムを圧着して窪んだ圧着部と、を備え、
前記圧着部は、前記伸縮性フィルムのＭＤ方向に対して斜めに交差する方向に並んで第１列を形成する複数の第１エンボスと、第１列に沿った第２列を形成する複数の第２エンボスとを備え、
前記第１エンボスは前記ＭＤ方向に直交する方向に長い長尺形状であり、
同列上で隣接する前記第１エンボス同士の間の少なくとも一部には、前記伸縮性フィルムに開裂が形成されている、衛生用品。
【請求項１１】
前記第１列と前記第２列とは交互に配置されており、
同列上で隣接する前記第１エンボス同士の間隔の少なくとも一部は、同列上で隣接する前記第２エンボス同士の間隔よりも小さい、請求項１０記載の衛生用品。
【手続補正書】
【提出日】平成31年4月24日(2019.4.24)
【手続補正１】
【補正対象書類名】明細書
【補正対象項目名】００３７
【補正方法】変更
【補正の内容】
【００３７】
保持部材７０の大径部７２に設けられたリブないし凸部７６がカートリッジ外筒１０に形成されたローレット１７ｅの一部の溝に係合するように、保持部材７０とカートリッジ外筒１０との位置合わせを行い、底面７４を更に押して保持部材７０を前進させることで、保持部材７０の凸部７３が、カートリッジ外筒１０の環状凸部１７ａを乗り越える。これにより、保持部材７０が保持部材挿入領域１９ｂに配置され、保持部材７０の先端部が第１貫通孔１７ｂに、延設部が第２貫通孔１７ｃに配置される。保持部材７０が保持部材挿入領域１９ｂに配置された状態で、保持部材７０の底面７４とカートリッジ外筒１０の後端面１８ｂとが略面一になる。
【手続補正２】
【補正対象書類名】明細書
【補正対象項目名】０１１２
【補正方法】変更
【補正の内容】
【０１１２】
次に、コイルばね７に対して押棒６０を天面６２から挿入し、コイルばね７を棒軸６１の外周上に、コイルばね７と押棒６０とを同軸に配置するとともに、コイルばね７を押棒６０のコイルばね載置部６３ａに載置する。その後、押棒６０（大径部６３）のリブ６３ｂと駆動体３０の溝３５とを位置合わせし、押棒６０を駆動体３０に挿入する。
【手続補正３】
【補正対象書類名】明細書
【補正対象項目名】０１６２
【補正方法】変更
【補正の内容】
【０１６２】
１                            カートリッジホルダー
２，２’，１０２，２０２      化粧料カートリッジ
３                            キャップ
４                            化粧料
５                            Ｏリング
９                            Ｏリング
１０，１０’，１１０，２１０  カートリッジ外筒
１１ａ，１１１ａ，２１１ａ    先端開口
１１ｂ，１１１ｂ，２１１ｂ    基端開口
１７，１１７，２１７          貫通孔
１７ａ                        環状凸部
１７ｅ                        ローレット（凹部）
１７ｆ，１７ｇ                凹部
１８ａ，１１８ａ，２１８ａ    先端面
１８ｂ，２１８ｂ    後端面
１９ａ，１１９ａ，２１９ａ    化粧料充填領域（第１領域）
１９ｂ，１１９ｂ，２１９ｂ    保持部材挿入領域（第２領域）
２０                          本体筒
２１                          本体外筒
３０                          駆動体
４０                          本体内筒
５０                          雌ねじ部材
５３                          雌ねじ部
６０                          押棒
６１ａ                        雄ねじ部
７０，７０’，１７０，２７０  保持部材
７１，１７１                  天面
７２，７２’                  大径部
７３                          凸部
２７１                        保持部
７４，１７４                  底面
７５，１７５                  本体部
７６，７６ａ，７６ｂ，１７６  リブ（凸部）
８０                          ラチェット部材
１１７ａ                      凸部
１７３                        環状凸部
２１７ｄ                    段部
２１７ｅ                      リブ（凸部）
２７３                        当接面
２７６                        凹部
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
不織布を複数枚、所定の厚さに重ねて、当該不織布の最外縁部よりも内側に、内部と外縁部に区画するシール部を形成し、
前記外縁部に血液の出入口を形成するとともに、外縁シール部を形成し、
前記外縁部の厚みは、前記内部の厚みよりも小さくなるように形成した、ことを特徴とする血液処理部材。
【請求項２】
上部側から見て、側部の一方向から他の側部の一方向へ所定の角度θ回転させた時、回転の前後で前記外縁シール部は実質的に重なるように形成した、ことを特徴とする請求項１に記載の血液処理部材。
【請求項３】
請求項１または２に記載の血液処理部材と、
前記血液処理部材を収容する可撓性のハウジングと、を有し、
前記ハウジングは、入口側シートと出口側シートからなり、前記血液処理部材により、前記ハウジングを血液流入室と血液流出室とに区画するように配置し、基端側に前記血液流入室と連通する血液入口を装着し、末端側に前記血液流出室と連通する血液出口を装着した、ことを特徴とする血液処理器。
【請求項４】
前記血液処理部材を、前記ハウジングに直接固定することにより、当該ハウジングを前記血液流入室と前記血液流出室とに区画した、ことを特徴とする請求項３に記載の血液処理器。
【請求項５】
前記血液処理部材を、外枠シートまたは管状部材に固定することにより、前記ハウジングを前記血液流入室と前記血液流出室とに区画した、ことを特徴とする請求項４に記載の血液処理器。
【手続補正２】
【補正対象書類名】明細書
【補正対象項目名】０００７
【補正方法】変更
【補正の内容】
【０００７】
そこで本発明者は、以上の課題を解決するために鋭意検討を重ねた結果、以下の発明に到達した。
本発明は、不織布を複数枚、所定の厚さに重ねて、当該不織布の最外縁部よりも内側に、内部と外縁部に区画するシール部を形成し、
前記外縁部に血液の出入口を形成するとともに、外縁シール部を形成し、
前記外縁部の厚みは、前記内部の厚みよりも小さくなるように形成した血液処理部材を提供する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
血液処理部材の外縁部の厚みを小さくすることができるので、血液入口近傍、血液出口近傍のスペース（空間）を充分確保（広い空間に）することができ、血液の流れを良くすることができる。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
遊技の進行を制御する主制御基板と、
検出手段の検出信号を前記主制御基板に中継する遊技盤中継基板と、
遊技領域の右側領域に、遊技球が衝突可能であって、衝突した前記遊技球の転動方向を下方へと流下させる衝止部材が設けられるとともに所定の位置に前記検出手段が設けられた遊技盤と、
を備え、
前記主制御基板、前記遊技盤中継基板および前記検出手段の少なくとも一つがコネクタ部材を有し、当該コネクタ部材を介して前記検出手段と前記主制御基板とが電気的に接続される遊技機において、
前記主制御基板と前記遊技盤中継基板との何れか一方に、前記コネクタ部材に起因して発生する接触抵抗による電圧加算作用を回避する回避部が設けられている、
ことを特徴とする遊技機。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１４
【補正方法】変更
【補正の内容】
【００１４】
請求項１に係る遊技機は、遊技の進行を制御する主制御基板と、検出手段の検出信号を前記主制御基板に中継する遊技盤中継基板と、遊技領域の右側領域に、遊技球が衝突可能であって、衝突した前記遊技球の転動方向を下方へと流下させる衝止部材が設けられるとともに所定の位置に前記検出手段が設けられた遊技盤とを備え、前記主制御基板、前記遊技盤中継基板および前記検出手段の少なくとも一つがコネクタ部材を有し、当該コネクタ部材を介して前記検出手段と前記主制御基板とが電気的に接続される遊技機において、前記主制御基板と前記遊技盤中継基板との何れか一方に、前記コネクタ部材に起因して発生する接触抵抗による電圧加算作用を回避する回避部が設けられていることを特徴とする［手段１］。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
遊技に関する演出を制御する演出制御手段と，
前記演出を表示する演出表示手段と，を備えた遊技機において，
前記演出制御手段は，
前記演出表示手段に，複数の種類を有する識別図柄の中から抽選した識別図柄を，変動表示させた後に停止表示させる抽選結果表示処理と，
前記抽選結果表示処理での変動表示の中で，前記演出表示手段に，少なくとも１つの表示箇所に識別図柄を仮停止表示させ，その後，識別図柄の全ての表示箇所を再度変動表示させる疑似連続変動表示演出処理と，
前記複数の種類の識別図柄の中には，その種類ごとに役割が割り当てられた識別図柄が有り，役割が割り当てられた識別図柄を，前記抽選結果表示処理にて抽選結果に基づいた識別図柄を停止表示させる前に一時的に前記演出表示手段の表示領域に仮停止表示させ，その表示されている識別図柄に割り当てられた役割に対応する予告演出を行う役割予告演出処理と，を実行するものであり,
前記役割予告演出処理では，前記複数の種類の識別図柄のうち少なくとも１つの役割を，疑似連続変動表示演出における再変動表示に起因して役割無しの役割から他の役割に変更する,
ことを特徴とする遊技機。
【手続補正２】
【補正対象書類名】明細書
【補正対象項目名】０００７
【補正方法】変更
【補正の内容】
【０００７】
本発明の遊技機は，
遊技に関する演出を制御する演出制御手段と，
前記演出を表示する演出表示手段と，を備えた遊技機において，
前記演出制御手段は，
前記演出表示手段に，複数の種類を有する識別図柄の中から抽選した識別図柄を，変動表示させた後に停止表示させる抽選結果表示処理と，
前記抽選結果表示処理での変動表示の中で，前記演出表示手段に，少なくとも１つの表示箇所に識別図柄を仮停止表示させ，その後，識別図柄の全ての表示箇所を再度変動表示させる疑似連続変動表示演出処理と，
前記複数の種類の識別図柄の中には，その種類ごとに役割が割り当てられた識別図柄が有り，役割が割り当てられた識別図柄を，前記抽選結果表示処理にて抽選結果に基づいた識別図柄を停止表示させる前に一時的に前記演出表示手段の表示領域に仮停止表示させ，その表示されている識別図柄に割り当てられた役割に対応する予告演出を行う役割予告演出処理と，を実行するものであり,
前記役割予告演出処理では，前記複数の種類の識別図柄のうち少なくとも１つの役割を，疑似連続変動表示演出における再変動表示に起因して役割無しの役割から他の役割に変更する,
ことを特徴とする遊技機である。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
第１の波長を有する光を、第１の照射周波数で被検体に照射する照射部と、
前記光を照射された前記被検体から発生する音響波を受信して電気信号を出力する素子と、
前記電気信号を用いて、前記被検体の特性情報を取得する処理部と、
前記照射部の前記被検体に対する相対的な位置を変化させる移動部と、
前記移動部の動作を制御する制御部と、
を有し、
前記制御部は、前記被検体の同一の領域における前記光の露光量が、前記第１の照射周波数における最大許容露光量の最小値を上回るように、前記移動部を制御する
ことを特徴とする被検体情報取得装置。
【請求項２】
前記制御部は、前記被検体の前記同一の領域に前記光が照射される期間が、第１の期間よりも短くなるように、前記移動部を制御するものであり、
前記第１の期間は、前記第１の照射周波数における最大許容露光量が、当該第１の照射周波数における最大許容露光量の最小値を上回っている期間である
ことを特徴とする請求項１に記載の被検体情報取得装置。
【請求項３】
前記第１の波長は７５６ｎｍであり、
前記第１の照射周波数は２０Ｈｚであり、
前記第１の期間は、１０秒以下の時間である
ことを特徴とする請求項２に記載の被検体情報取得装置。
【請求項４】
前記第１の期間は、３．８秒以下の時間である
ことを特徴とする請求項２または３に記載の被検体情報取得装置。
【請求項５】
前記制御部は、連続する２回の前記光の照射によって照射される照射領域が、互いに重複しないように、前記移動部を制御する
ことを特徴とする請求項１ないし４のいずれか１項に記載の被検体情報取得装置。
【請求項６】
前記照射部および複数の前記素子を支持する支持体をさらに有し、
前記制御部は、前記移動部に、前記支持体の前記被検体に対する相対的な位置を変化さ
せる
ことを特徴とする請求項１ないし５のいずれか１項に記載の被検体情報取得装置。
【請求項７】
前記制御部は、前記支持体をスパイラルの走査軌跡に従って移動させるように、前記移動部を制御する
ことを特徴とする請求項６に記載の被検体情報取得装置。
【請求項８】
前記制御部は、前記支持体を、軸の角度が異なり、共通の交点を持つ複数の８の字の走査軌跡に従って移動させるように、前記移動部を制御する
ことを特徴とする請求項６に記載の被検体情報取得装置。
【請求項９】
関心領域に関するユーザーからの入力を受け付ける入力部をさらに有し、
前記制御部は、前記共通の交点が前記関心領域の内部にあるように前記移動部を制御する
ことを特徴とする請求項８に記載の被検体情報取得装置。
【手続補正２】
【補正対象書類名】明細書
【補正対象項目名】０００８
【補正方法】変更
【補正の内容】
【０００８】
測定時間の増加を抑制しつつ、信号取得回数を増やすために、レーザの照射周波数を上げる（すなわち、単位時間あたりの光照射および信号取得回数を増やす）ことが考えられる。しかしながら、日本工業規格（ＪＩＳ）Ｃ６８０２あるいは国際規格ＩＥＣ６０８２５−１により皮膚に対する最大許容露光量（ＭＰＥ：Ｍａｘｉｍｕｍ  Ｐｅｒｍｉｓｓｉｂｌｅ  Ｅｘｐｏｓｕｒｅ）が定められている。これはすなわち、皮膚上の同一の照射領域に対して繰り返し照射されるパルス光の、１パルス毎に許容される露光量の最大値と解することができる。この規格によると、７５６ｎｍの光については、照射周波数がおよそ１０Ｈｚ以下のとき、ＭＰＥが最大となる。照射周波数が１０Ｈｚを超える、たとえば２０Ｈｚである場合のＭＰＥは、図２に示すように、ある露光時間（図では３．８秒）を境にして、露光時間に反比例して低下し始める。そして、さらにある露光時間（図では１０秒）を経過した以降は、一定の値となる。
【手続補正３】
【補正対象書類名】明細書
【補正対象項目名】００８５
【補正方法】変更
【補正の内容】
【００８５】
図２から分かるように、波長が７５６ｎｍであり、レーザの照射周波数が２０Ｈｚの場合、同一の照射領域に対しては、照射開始から３．８秒間は、照射周波数が１０Ｈｚ相当のレーザ強度を使用できる。よって、符号１１００３の照射領域から、３．８秒後までに、符号１１００３の照射領域と重ならない符号１５００１の照射領域までスキャナー５００による移動が行われることが望ましい。これにより、レーザの照射周波数が２０Ｈｚでも１０Ｈｚの場合と同等のレーザ強度を利用できる。
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常区間と有利区間とを設定可能であって、通常区間において第１特定抽選を行い、第１特定抽選に当選したことに基づいて有利区間を開始させ、有利区間において第２特定抽選を行う特典獲得遊技を行わせ、第２特定抽選に当選した場合に有利区間において特典遊技を行わせ、有利区間ではクリアカウンタの値を更新し、クリアカウンタの値が所定値に達したことに基づいて有利区間を終了させて所定の初期化処理を実行して通常区間に復帰させる特典付与手段と、
前記特典遊技において所定の役の入賞を補助する入賞補助演出を演出装置に実行させる制御を行う演出制御手段と、
前記有利区間において前記有利区間に滞在していることを報知する特定報知を行うことが可能であり、前記通常区間では特定報知を行わない区間表示器と、
を備えた遊技機であって、
前記特典獲得遊技として第１特典獲得遊技と第２特典獲得遊技とが存在し、
前記特典付与手段が、
前記通常区間における前記第１特定抽選の当選によって前記有利区間において前記第１特典獲得遊技を行わせる遊技区間を設定し、当該第１特典獲得遊技を行わせる遊技区間が終了した後も前記有利区間において所定条件下で前記第２特典獲得遊技を行わせ、前記第１特典獲得遊技では、前記第２特典獲得遊技よりも有利な条件で前記第２特定抽選を行うことを特徴とする遊技機。
【請求項２】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常区間と有利区間とを設定可能であって、通常区間および有利区間のいずれにおいても第１特定抽選を行い、通常区間において第１特定抽選に当選したことに基づいて有利区間を開始させ、有利区間において第２特定抽選を行う特典獲得遊技を行わせ、第２特定抽選に当選した場合に有利区間において特典遊技を行わせ、有利区間ではクリアカウンタの値を更新し、クリアカウンタの値が所定値に達したことに基づいて有利区間を終了させて所定の初期化処理を実行して通常区間に復帰させる特典付与手段と、
前記特典遊技において所定の役の入賞を補助する入賞補助演出を演出装置に実行させる制御を行う演出制御手段と、
前記有利区間において前記有利区間に滞在していることを報知する特定報知を行うことが可能であり、前記通常区間では特定報知を行わない区間表示器と、
を備えた遊技機であって、
前記特典付与手段が、
前記第１特定抽選に当選したことに基づいて前記特典獲得遊技を行わせ、前記通常区間において前記第１特定抽選で当選したことに基づき行われる前記特典獲得遊技では、前記有利区間において前記第１特定抽選で当選したことに基づき行われる前記特典獲得遊技よりも有利な条件で前記第２特定抽選を行うことを特徴とする遊技機。
【請求項３】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常区間と有利区間とを設定可能であって、通常区間および有利区間のいずれにおいても第１特定抽選を行い、通常区間において第１特定抽選に当選したことに基づいて有利区間を開始させ、有利区間において第２特定抽選を行う特典獲得遊技を行わせ、第２特定抽選に当選した場合に有利区間において特典遊技を行わせ、有利区間ではクリアカウンタの値を更新し、クリアカウンタの値が所定値に達したことに基づいて有利区間を終了させて所定の初期化処理を実行して通常区間に復帰させる特典付与手段と、
前記特典遊技において所定の役の入賞を補助する入賞補助演出を演出装置に実行させる制御を行う演出制御手段と、
前記有利区間において前記有利区間に滞在していることを報知する特定報知を行うことが可能であり、前記通常区間では特定報知を行わない区間表示器と、
を備えた遊技機であって、
前記特典付与手段が、
前記通常区間では前記有利区間よりも有利な条件で前記第１特定抽選を行うことを特徴とする遊技機。
【請求項４】
外周面に複数種類の図柄が配列されている複数のリールと、
複数種類の役の当否を決定する内部抽選を行う内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
通常区間と有利区間とを設定可能であって、通常区間および有利区間のいずれにおいても特定抽選を行い、特定抽選に当選したことに基づいて特典遊技を行わせ、通常区間において特定抽選に当選したことに基づいて有利区間を開始させるとともにクリアカウンタの値を更新し、クリアカウンタの値が所定値に達したことに基づいて有利区間を終了させて所定の初期化処理を実行して通常区間に復帰させる特典付与手段と、
前記特典遊技において所定の役の入賞を補助する入賞補助演出を演出装置に実行させる制御を行う演出制御手段と、
前記有利区間において前記有利区間に滞在していることを報知する特定報知を行うことが可能であり、前記通常区間では特定報知を行わない区間表示器と、
を備えた遊技機であって、
前記特典付与手段が、
前記通常区間では前記有利区間よりも有利な条件で前記特定抽選を行うことを特徴とする遊技機。
【請求項５】
請求項４において、
前記有利区間において、前記特典遊技を行う第１遊技区間と、当該第１遊技区間の終了によって移行する第２遊技区間とを設定可能であり、
前記通常区間での前記特定抽選の当選確率が、前記第２遊技区間での前記特定抽選の当選確率よりも高いことを特徴とする遊技機。
【手続補正書】
【提出日】平成31年4月24日(2019.4.24)
【手続補正１】
【補正対象書類名】明細書
【補正対象項目名】００２４
【補正方法】変更
【補正の内容】
【００２４】
次に、光源２０１を駆動する駆動電流ＩＬＤを説明する。駆動電流ＩＬＤは、ＡＰＣ制御電圧Ｖａｐｃ、平滑回路３１２から出力されるシェーディング電圧（出力電圧）Ｖｓｈｄ、抵抗器３１７の抵抗値Ｒｓ、および抵抗器３２５の抵抗値Ｒｔ（Ｒｔ≪Ｒｓ）により決定される。
ＩＬＤ＝Ｖａｐｃ／（Ｒｓ＋Ｒｔ）−Ｖｓｈｄ／Ｒｔ
ＡＰＣは１走査周期中の非画像形成領域において実行される。当該１走査周期中の画像形成領域においてサンプルホールド回路３２２はサンプルした電圧Ｖａｐｃを出力する。従って、１走査周期中の画像形成領域においてサンプルホールド回路３２２が出力する電圧Ｖａｐｃは一定であり、電流値Ｖａｐｃ／（Ｒｓ＋Ｒｔ）は一定となる。
一方で、後述するシェーディング回路３２１は主走査方向における光ビームの露光位置に応じてＶｓｈｄを制御する。従って、１走査周期中の画像形成領域において主走査方向における光ビームの露光位置に応じて電流値Ｖｓｈｄ／Ｒｔが変化する。
画像形成領域において、電流値Ｖａｐｃ／（Ｒｓ＋Ｒｔ）が一定であり、主走査方向における光ビームの露光位置に応じて電流値Ｖｓｈｄ／Ｒｔが変化する。そのため、主走査方向における光ビームの露光位置によってＶｓｈｄを制御することによって、光源２０１に流れる駆動電流ＩＬＤを主走査方向における光ビームの露光位置に応じた電流値に制御することができる。
【手続補正２】
【補正対象書類名】明細書
【補正対象項目名】００２５
【補正方法】変更
【補正の内容】
【００２５】
（シェーディング回路）
次に、光量制御手段としてのシェーディング回路３２１の動作を説明する。ＣＰＵ３０７は、メモリ３０８から、各露光位置に対応した光量の補正値（光量補正データ、以下、シェーディングデータという。）を読み出す。ＣＰＵ３０７は、シェーディングデータをシェーディングデータ計算部３１０へ入力する。補正値生成手段としてのシェーディングデータ計算部３１０は、計算されたシェーディングデータをＰＷＭ信号生成部３０９へ出力する。シェーディングデータの計算については後述する。出力手段としてのＰＷＭ信号生成部（パルス信号生成手段）３０９は、シェーディングデータに基づくパルス幅（デューティ比）のパルスを含むＰＷＭ信号を出力する。ここで、ＰＷＭ信号生成部３０９は、光ビームの走査中にシェーディングブロックごとにＰＷＭ信号を生成するために用いるシェーディングデータを切り替える。そして、ＰＷＭ信号生成部３０９は、シェーディングブロックに対応するパルス幅のＰＷＭ信号を出力する。メモリ３０８には、画像形成領域を予め決められた数に分割し、分割された各ブロック（以下、シェーディングブロックという。）に対応したシェーディングデータが保存されている。ＰＷＭ信号生成部３０９は、一定周波数の基準クロック信号を生成する基準クロック信号生成部（以下、クロックという。）３３３と、基準クロック信号をカウントするカウンタ３３４を含む。クロック信号生成手段としてのクロック３３３は、ＢＤ２０９のＢＤ信号（周期信号）よりも高周波のクロック信号を生成する。ＰＷＭ信号生成部３０９は、ＢＤ信号を基準に内部のカウンタ３３４によって基準クロック信号をカウントし、シェーディングブロックの境界に対応するカウント値においてシェーディングデータの切り替えを行う。ＰＷＭ信号は、電圧スイッチ３１４をＯＮ／ＯＦＦする。シェーディングデータ計算部３１０及びＰＷＭ信号生成部３０９は、設定手段を構成する。設定手段は、記憶されたシェーディングデータおよび計算されたシェーディングデータを、光ビームが感光ドラム１０２の画像形成領域を走査中に主走査方向における光ビームの露光位置に応じて設定する。
【手続補正３】
【補正対象書類名】明細書
【補正対象項目名】００２７
【補正方法】変更
【補正の内容】
【００２７】
（シェーディング補正制御）
以下、シェーディング補正制御の動作を説明する。図４は、第１の実施形態におけるシェーディング補正制御の動作を示すタイミング図である。図４に、一走査中におけるシェーディング動作シーケンスを示す。本シーケンスでは、画像形成領域を複数ブロックに分割し、各ブロックにおけるシェーディングデータに基づいてＰＷＭ信号のデューティ比が設定される。前述したように駆動電流ＩＬＤは、シェーディング電圧Ｖｓｈｄにより制御される。例えば、ＰＷＭ信号のパルス幅が広ければ広いほど平滑回路３１２から出力されるシェーディング電圧Ｖｓｈｄが大きくなるので、駆動電流ＩＬＤが小さくなり、光ビームの光量が低くなる。例えば、図４に示すＢｌｏｃｋ１において、ＰＷＭ信号生成部３０９が出力するＰＷＭ信号のデューティ比は０％である。このときの光量を１００％とする。Ｂｌｏｃｋ２は、Ｂｌｏｃｋ１における光量の９５％に制御するため、ＰＷＭ信号生成部３０９が出力するＰＷＭ信号のデューティ比は５％となる。ＰＷＭ信号生成部３０９がデューティ比が５％のＰＷＭ信号を出力することによって、Ｂｌｏｃｋ２を走査する期間のＩＬＤが制御され、光ビームの光量は９５％に制御される。Ｂｌｏｃｋ３から６においても同様に、ＰＷＭ信号生成部３０９がそれぞれのブロックに応じたデューティ比のＰＷＭ信号を出力することによって、光ビームの光量をそれぞれのブロックに応じた光量に制御することができる。なお、図４において各ブロックにおけるＰＷＭ信号を１パルスで示しているが、実際にはそれぞれのブロックにおいてＰＷＭ信号生成部３０９は複数のパルスを生成し、平滑回路３１２は複数のパルスを平滑化処理する。
【手続補正４】
【補正対象書類名】図面
【補正対象項目名】図３
【補正方法】変更
【補正の内容】
【図３】
2017196824.tif 000001
【手続補正５】
【補正対象書類名】図面
【補正対象項目名】図１１
【補正方法】変更
【補正の内容】
【図１１】
2017196824.tif 000002
【手続補正６】
【補正対象書類名】図面
【補正対象項目名】図１６
【補正方法】変更
【補正の内容】
【図１６】
2017196824.tif 000003